(57)【要約】【課題】本体より集塵部を取り外すときに使用性を向上した電気掃除機を提供することを目的とするものである。【解決手段】吸引風を発する電動送風機８を内蔵した本体７と、吸引した塵埃を捕集し前記本体７と着脱可能である集塵部９と、前記集塵部９に設けられ回動自在な把手部１０と、前記集塵部８を前記本体７に保持させるための尾錠１３とを備え、前記把手部１０の回動動作により前記尾錠１３の固定および固定解除を行うもので、１つの動作のみで、前記集塵部９と前記本体７の間の解除と前記集塵部９を引き出すという２つの動作を行うことができる。【選択図】  図１
2004290339.tif 000002
【特許請求の範囲】
【請求項１】
吸引風を発する電動送風機を内蔵した本体と、吸引した塵埃を捕集し前記本体と着脱可能である集塵部と、前記集塵部に設けられ回動自在な把手部と、前記集塵部を前記本体に保持させるための尾錠とを備え、前記把手部の回動動作により前記尾錠の固定および固定解除を行う電気掃除機。
【請求項２】
把手部が非回動状態のときでも、前記尾錠が弾性変形することで、前記尾錠の固定および固定解除が可能な構成とした請求項１記載の電気掃除機。
【請求項３】
把手部が非回動状態のとき、前記把手部を保持するための把手部係止部を、集塵部に設けた請求項１または２記載の電気掃除機。
【請求項４】
把手部が非回動状態のときのみ、尾錠を固定させる構成とした請求項１〜３のいずれか１項に記載の電気掃除機。
【請求項５】
把手部に把手部凹部または把手部凸部を設け、尾錠には尾錠凸部または尾錠凹部を設けるとともに、前記把手部が非回動状態のときには、前記把手部凹部または把手部凸部が、前記尾錠凸部または尾錠凹部に略挿入される構成とした請求項１〜４のいずれか１項に記載の電気掃除機。
【請求項６】
把手部に突起部を設け、前記把手部が回動状態のときのみ、前記突起部が尾錠の端部に接触し、前記尾錠の固定解除を強制的に行う構成とした請求項１〜５のいずれか１項に記載の電気掃除機。
【請求項７】
集塵部に尾錠を覆う形態のボックス部を設けるとともに、本体には前記ボックス部の内側または外側に位置し、前記集塵部を前記本体に取付状態で前記ボックス部を固定するための本体ボックス部を設けた請求項１〜６のいずれか１項に記載の電気掃除機。
【請求項８】
尾錠が本体の尾錠係止部に接触する前に、ボックス部を本体ボックス部に接触させる構成とした請求項７記載の電気掃除機。
【発明の詳細な説明】
【０００１】
【発明の属する技術分野】
本発明は、一般家庭で使用される電気掃除機に関するもので、特に使用性に関するものである。
【０００２】
【従来の技術】
従来のこの種の電気掃除機は、以下ようなものが一般的であった。この電気掃除機を図１０〜図１１を用いて説明する。
【０００３】
図１０〜図１１において、１は塵埃を吸引するための電動送風機と塵埃を吸引する吸込み具に連通した本体、２は塵埃を捕集するための集塵部であり前記集塵部２の上方には持ち運び用の把手部部３と、前記集塵部２と前記本体１を固定、解除させるための尾錠４を設けている。前記尾錠４には動作用のボタン部５と前記本体１保持用の爪部６を設けており、前記ボタン部５を押すことにより前記爪部６が解除されて、前記本体１から前記集塵部２を外すことができる。
【０００４】
そして、上記電気掃除機を運転すると、吸込み具より吸引された塵埃が塵埃捕集用の前記集塵部２に入る。ごみ捨て時は前記ボタン部５を押しながら前記把手部部３を引き上げることにより前記集塵部２が前記本体１から外れるので、前記集塵部２の内部の塵埃を捨てたあと再度前記本体１に取り付ける（例えば、特許文献１参照）。
【０００５】
【特許文献１】
欧州特許１０４２９８１号公報
【０００６】
【発明が解決しようとする課題】
しかしながら上記従来の電気掃除機の構成では、前記集塵部２を外すには前記ボタン部５を押しながら前記把手部部３を持って引き上げなければならない。
【０００７】
この場合、同時に２つの動作を行う必要があるとともに、押しながら引っ張るといった相反する方向の動作を行う必要があるため、使い勝手が悪いという問題点があった。
【０００８】
本発明は上記課題を解決するもので、本体より集塵部を取り外すときに使用性を向上した電気掃除機を提供することを目的とするものである。
【０００９】
【課題を解決するための手段】
本発明は上記課題を解決するために、吸引風を発する電動送風機を内蔵した本体と、吸引した塵埃を捕集し前記本体と着脱可能である集塵部と、前記集塵部に設けられ回動自在な把手部と、前記集塵部を前記本体に保持させるための尾錠とを備え、前記把手部の回動動作により前記尾錠の固定および固定解除を行うものである。
【００１０】
上記発明によれば、前記把手部を持ち上げることにより、回動軸を支点にし前記把手部は回動する。すると同時に前記尾錠の解除を行うことができるのでそのまま持ち上げるだけで前記集塵部を前記本体から外すことができる。すなわち、１つの動作のみで、前記集塵部と前記本体の間の解除と前記集塵部を引き出すという２つの動作を行うことができる。
【００１１】
【発明の実施の形態】
本発明の請求項１記載の発明は、吸引風を発する電動送風機を内蔵した本体と、吸引した塵埃を捕集し前記本体と着脱可能である集塵部と、前記集塵部に設けられ回動自在な把手部と、前記集塵部を前記本体に保持させるための尾錠とを備え、前記把手部の回動動作により前記尾錠の固定および固定解除を行うもので、前記把手部を持ち上げることにより、回動軸を支点にし前記把手部は回動する。すると同時に前記尾錠の解除を行うことができるのでそのまま持ち上げるだけで前記集塵部を前記本体から外すことができる。すなわち、１つの動作のみで、前記集塵部と前記本体の間の解除と前記集塵部を引き出すという２つの動作を行うことができる。
【００１２】
本発明の請求項２記載の発明は、把手部が非回動状態のときでも、前記尾錠が弾性変形することで、前記尾錠の固定および固定解除が可能な構成としたものである。
【００１３】
上記発明によれば、前記把手部を回動させない状態すなわち前記尾錠が固定されている状態で前記集塵部を前記本体に取り付けた場合でも、前記尾錠が弾性変形することにより、前記尾錠は破損することなく前記尾錠の固定および固定解除が可能なため、信頼性の高い構成を提供できる。
【００１４】
本発明の請求項３記載の発明は、把手部が非回動状態のとき、前記把手部を保持するための把手部係止部を、集塵部に設けたものである。
【００１５】
上記発明によれば、前記本体への不意の衝撃や振動を受けたときに前記把手部が勝手に回動して前記尾錠が解除され、結果的に前記集塵部が前記本体から脱落して塵埃を散らしたり、前記集塵部を破損させるといった問題点を解決できる。
【００１６】
本発明の請求項４記載の発明は、把手部が非回動状態のときのみ、尾錠を固定させる構成としたものである。
【００１７】
上記発明によれば、前記把手部が非回動状態のみ、すなわち１点のみで前記尾錠を固定させるため少しでも前記把手部が回動すれば前記尾錠は解除できるため、前記集塵部の着脱をより容易に、かつ、確実に行うことができるため、使用性を改善できる。
【００１８】
本発明の請求項５記載の発明は、把手部に把手部凹部または把手部凸部を設け、尾錠には尾錠凸部または尾錠凹部を設けるとともに、前記把手部が非回動状態のときには、前記把手部凹部または把手部凸部が、前記尾錠凸部または尾錠凹部に略挿入される構成としたものである。
【００１９】
上記発明によれば、前記把手部を回動させずに前記集塵部を外そうとした際には、前記尾錠の前記爪が係止している前記本体の前記尾錠係止部から外れようとする動きが発生する。その場合、前記尾錠は前記把手部を内部から強制的に回動させて前記尾錠自らの解除を行おうとする動きが生じ、その力が前記把手部係止部の保持力を超えると、前記把手部が回動し前記尾錠の解除が行われて前記集塵部が外れてしまう。
【００２０】
そこで前記把手部の非回動時には、前記把手部凹部が前記尾錠凸部に、または前記把手部凸部が前記尾錠凹部に略挿入させることにより、前記尾錠の動きを押さえることができるため、前記集塵部が勝手に外れてしまうといった問題点を解決できる。
【００２１】
本発明の請求項６記載の発明は、把手部に突起部を設け、前記把手部が回動状態のときのみ、前記突起部が尾錠の端部に接触し、前記尾錠の固定解除を強制的に行う構成としたものである。
【００２２】
上記発明によれば、前記把手部を回動させると前記尾錠は確実に前記尾錠係止部から外すことができるため、前記集塵部を前記本体から外す際の引っ掛かりを防止でき、使用性を改善できる。
【００２３】
本発明の請求項７記載の発明は、集塵部に尾錠を覆う形態のボックス部を設けるとともに、本体には前記ボックス部の内側または外側に位置し、前記集塵部を前記本体に取付状態で前記ボックス部を固定するための本体ボックス部を設けたものである。
【００２４】
上記発明によれば、前記尾錠を前記ボックス部で覆うため、前記集塵部を落とした際等の前記尾錠の破損を未然に防止することができる。また、前記ボックス部は前記本体ボックス部との間で固定されるため、前記集塵部取り付け時の前記本体との位置決めが確実にでき取り付け不十分による性能低下や塵埃漏れ等の問題点を未然に防止できる。
【００２５】
本発明の請求項８記載の発明は、尾錠が本体の尾錠係止部に接触する前に、ボックス部を本体ボックス部に接触させる構成としたものである。
【００２６】
上記発明によれば、事前に前記ボックス部が前記本体ボックス部に接触するので前記尾錠が前記尾錠係止部近傍に誘導された状態になる。したがって前記尾錠が前記尾錠係止部から離れた壁等に接触し前記尾錠が破損するといった問題点を未然に防止でき、前記尾錠の信頼性向上を図ることができる。
【００２７】
【実施例】
以下、本発明の実施例について図面を用いて説明する。
【００２８】
（実施例１）
図１、図２、図４、図９は本発明の実施例１の電気掃除機の全体構成を示す要部断面図、図３、図５〜図８は同電気掃除機の集塵部部分の局部断面図である。
【００２９】
図１〜図９において、７は塵埃を吸引するための電動送風機８を内蔵した本体、９は塵埃を吸引する吸込み具（図示せず）に連通し、前記本体７と着脱可能である集塵部、１０は前記集塵部９略上部にその一端に回動軸１１を、他端には回動角度を規制するためのストッパー１２を設けた把手部、１３は前記集塵部９を前記本体７に保持させるための尾錠である。
【００３０】
前記把手部１０の非回動状態においては、前記把手部１０から設けた把手部リブ１４を前記尾錠１３上に設けた尾錠天面１５に接触させることにより前記尾錠１３の動作を止め、前記尾錠１３に設けた爪部１６を、前記本体７に設けた尾錠係止部１７に係止させることにより前記集塵部９と前記本体７の間の固定を行う。
【００３１】
また、前記把手部１０を回動させると前記把手部リブ１４が前記尾錠天面１５から離れるため、前記尾錠１３の略中央部に位置する中心軸１８を中心に前記尾錠１３が回転し、前記尾錠１３に設けた爪部１６が前記本体７に設けた尾錠係止部１７から外れるため前記集塵部９と前記本体７の間の固定が解除される。
【００３２】
また、前記尾錠１３は前記中心軸１８から前記爪部１６の間の長さを長く取っているので、自身が固定された状態でも前記尾錠係止部１７の段差を乗り越えるだけの弾性変形を可能にしている。
【００３３】
また、１９は前記把手部１０を非回動状態で保持するための把手部係止部であり、不意の衝撃や振動により勝手に前記把手部１０が回動するのを防止する。
【００３４】
図７または図８においては、前記把手部１０の非回動時には、前記把手部１０内部に設けた把手部凸部２０が前記尾錠に設けた尾錠凹部２１に挿入されることにより前記尾錠１３の動きを押さえている。この場合、凹凸がそれぞれ逆になっても同等の効果を得ることができる。また、前記把手部１０の回動時には前記把手部１０の内部の略側面に設けた突起部２２が前記尾錠１３の端部２３に接触し、前記尾錠１３を強制的に回転させることにより前記集塵部９と前記本体７の間の固定を解除させることができる。
【００３５】
また、前記集塵部９に前記尾錠１３を覆う形態のボックス部２４を、前記本体７には前記ボックス部２４の内側に位置し、前記集塵部９取付状態では前記ボックス部２４を保持するための本体ボックス部２５を設けている。なお、前記ボックス部２４は前記尾錠１３が前記本体７の前記尾錠係止部１７に接触する前に前記本体ボックス部２５に接触させる構成をとっている。
【００３６】
次に動作、作用について説明する。
【００３７】
図１において、電気掃除機を運転すると、塵埃を吸引するための電動送風機８により吸引された塵埃は、前記本体７と着脱可能である集塵部９に補集される。
【００３８】
通常状態すなわち前記把手部１０非回動状態においては、図２または図３のように前記把手部１０から設けた把手部リブ１４を前記尾錠１３上に設けた尾錠天面１５に接触させることにより前記尾錠１３の動作を止め、前記尾錠１３に設けた爪部１６を、前記本体７に設けた尾錠係止部１７に係止させることにより前記集塵部９と前記本体７の間の固定を行っている。
【００３９】
前記集塵部９にたまった塵埃を捨てるときは、前記把手部１０を上方に持ち上げると図４のように前記把手部は前記回動軸を中心に回動する。このように前記把手部１０を回動させると、図５のように前記把手部リブ１４が前記尾錠天面１５から離れるため、前記尾錠１３の略中央部に位置する前記中心軸１８を中心に前記尾錠１３が回転し、前記尾錠１３に設けた爪部１６が前記本体７に設けた尾錠係止部１７から外れるため前記集塵部９と前記本体７の間の固定が解除され、前記集塵部９を前記本体７から外すことができる。
【００４０】
すなわち、１つの動作のみで前記集塵部９と前記本体７の間の解除と前記集塵部９を引き出すという２つの動作を行うことができる。また、前記ストッパー１２により前記把手部１０はそれ以上回動しないように保持されているため、片持ち形状に比べて引っ張りに対する強度ははるかに高く、壊れにくい信頼性の高い電気掃除機を提供することができる。
【００４１】
また、前記尾錠１３は前記中心軸１８から前記爪部１６の間の長さを長く取っているので、前記把手部１０を回動させない状態すなわち前記尾錠１３が固定されている状態で前記集塵部９を前記本体７に取り付けた場合でも、図６のように、前記尾錠１３が前記本体７の前記尾錠係止部１７の段差を乗り越える際に前記尾錠１３自身が弾性変形することにより、前記爪部１６は破損することなく前記尾錠係止部１７に保持されるため、信頼性の高い電気掃除機を提供できる。
【００４２】
また、図２のように前記把手部１０を非回動状態で保持するための前記把手部係止部１９を設けたことにより、前記本体７への不意の衝撃や振動を受けたときに前記把手部１０が勝手に回動して前記尾錠１３が解除され、結果的に前記集塵部９が前記本体７から脱落して塵埃を散らしたり、前記集塵部９を破損させるといった問題点を解決できる。
【００４３】
また、図３のように、前記把手部１０が非回動状態のみ、前記把手部１０から設けた把手部リブ１４を前記尾錠１３上に設けた尾錠天面１５に接触させたとき、すなわち１点のみで前記尾錠１３を固定させるため少しでも前記把手部１０が回動すれば前記尾錠１３は解除できるため、前記集塵部９の着脱をより容易に、かつ、確実に行うことができ、使用性を改善することができる。
【００４４】
また、図７のように前記把手部１０の非回動時には、前記把手部１０内部に設けた前記把手部凸部２０が前記尾錠１３に設けた前記尾錠凹部２１に挿入されることにより前記尾錠１３の動きを押さえている。これにより、前記把手部１０を回動させずに前記集塵部９を外そうとした際には、前記尾錠１３の前記爪部１６が係止している前記本体７の前記尾錠係止部１７から外れようとする動きが発生するが、前記尾錠凹部２１が前記把手部凸部２０の両側を挟み付けているため、前記尾錠１３は回転することができない。したがって、前記集塵部９と前記本体７の間の固定は維持されるため、不意の衝撃や振動により勝手に前記集塵部９から外れるのを防止する事ができ、使用性を改善できる。
【００４５】
この場合凹凸がそれぞれ逆になっても同等の効果を得ることができる。
【００４６】
また、前記把手部１０の回動時には、図８のように前記把手部１０の内部の略側面に設けた前記突起部２２が前記尾錠１３の前記端部２３に接触し、前記尾錠１３を強制的に回転させることにより前記集塵部９と前記本体７の間の固定を完全に解除させることができるため前記集塵部９を前記本体７から外す際の引っ掛かりを防止でき、使用性を改善できる。
【００４７】
また、前記尾錠１３を前記ボックス部２４で覆うため、前記集塵部９を落とした際等の前記尾錠１３の破損を未然に防止することができる。また、前記ボックス部２４は前記本体ボックス部２５との間で固定されるため、前記集塵部９取り付け時の前記本体７との位置決めが確実にでき取り付け不十分による性能低下や塵埃漏れ等の問題点を未然に防止でき、使用性を改善できる。
【００４８】
また、図９のように、前記集塵部９の取り付け時は、前記尾錠１３が前記尾錠係止部１７に接触する前に前記ボックス部２４が前記本体ボックス部２５に接触するので前記尾錠１３は前記尾錠係止部１７近傍に誘導された状態になる。したがって、前記尾錠１３が前記尾錠係止部１７から離れた壁等に接触し、前記尾錠１３が破損するといった問題点を未然に防止でき、前記尾錠の信頼性を向上させることができる。
【００４９】
【発明の効果】
以上説明したように本発明によれば、本体より集塵部を取り外すときに使用性を向上した電気掃除機を提供できる。
【図面の簡単な説明】
【図１】本発明の第１の実施例における掃除機本体の側断面図
【図２】同集塵部の局部側断面図
【図３】同集塵部の局部断面図
【図４】同集塵部の局部側断面図
【図５】同集塵部の局部断面図
【図６】同集塵部の局部断面図
【図７】同集塵部の局部断面図
【図８】同集塵部の局部断面図
【図９】同集塵部部分の局部側断面図
【図１０】従来の電気掃除機の外観図
【図１１】従来の集塵部の要部断面図
【符号の説明】
７  本体
８  電動送風機
９  集塵部
１０  把手部
１３  尾錠
【図１】
2004290339.tif 000003
【図２】
2004290339.tif 000004
【図３】
2004290339.tif 000005
【図４】
2004290339.tif 000006
【図５】
2004290339.tif 000007
【図６】
2004290339.tif 000008
【図７】
2004290339.tif 000009
【図８】
2004290339.tif 000010
【図９】
2004290339.tif 000011
【図１０】
2004290339.tif 000012
【図１１】
2004290339.tif 000013